(57)【要約】【課題】コード情報を端末装置の画面に表示する設定をすることを効果的にユーザに促すこと。【解決手段】コード情報表示装置が、複数の処方せんの各ページに付された複数のコード情報を受信する通信部１２２と、複数の処方せんから選択された一の処方せんに対応する複数のコード情報を同時に表示するように、複数のコード情報のそれぞれが複数の処方せんのうちどの処方せんに対応するものであるかを示す情報に基づいて表示部１２３を制御する制御部１２５と、を備える。【選択図】図６
2019020758.tif 000002
【特許請求の範囲】
【請求項１】
複数の処方せんの各ページに付された複数のコード情報を受信する通信部と、
前記複数の処方せんから選択された一の処方せんに対応する前記複数のコード情報を同時に表示するように、前記複数のコード情報のそれぞれが前記複数の処方せんのうちどの処方せんに対応するものであるかを示す情報に基づいて表示部を制御する制御部と、
を備えるコード情報表示装置。
【請求項２】
前記通信部は、撮像された前記各ページの画像を受信し、
前記制御部は、前記各ページのうち一のページが選択された場合に、選択されたページと、該選択されたページが含まれる一の処方せんに対応する前記複数のコード情報とを同時に表示するように前記表示部を制御する、請求項１に記載のコード情報表示装置。
【請求項３】
複数の処方せんの各ページに付された複数のコード情報を受信する通信ステップと、
前記複数の処方せんから選択された一の処方せんに対応する前記複数のコード情報を同時に表示するように、前記複数のコード情報のそれぞれが前記複数の処方せんのうちどの処方せんに対応するものであるかを示す情報に基づいて表示部を制御する制御ステップと、
を含むコード情報表示方法。
【請求項４】
コンピュータに、
複数の処方せんの各ページに付された複数のコード情報を受信する通信手順、
前記複数の処方せんから選択された一の処方せんに対応する前記複数のコード情報を同時に表示するように、前記複数のコード情報のそれぞれが前記複数の処方せんのうちどの処方せんに対応するものであるかを示す情報に基づいて表示部を制御する制御手順、
を実行させるコード情報表示プログラム。
【発明の詳細な説明】
【技術分野】
【０００１】
本発明は、医療機関にて処方された処方せんの情報を含むコード情報の表示を行うコード情報表示装置、コード情報表示方法、および、コード情報表示プログラムに関する。
【背景技術】
【０００２】
従来、患者が携帯電話やスマートフォンのカメラ機能を用いて医療機関で発行された処方せんを撮像し、撮像した処方せんの画像を薬局に送ることによって事前に処方せんの内容を薬局に伝達する技術が知られている。
【０００３】
さらに、患者が処方せんに付された２次元コード情報を撮像し、２次元コード情報に埋め込まれた処方せんの内容を示す情報を薬局に送ることによって、処方せんの内容を薬局に伝達する技術もある。
【０００４】
例えば、特許文献１には、患者端末、サーバ装置、薬局端末、および、レセプトコンピュータを備えたシステムが記載されている。
【０００５】
当該システムでは、処方せんが患者のスマートフォン（患者端末）によって撮像されると、患者端末は、処方せんに付された２次元コード情報を文字情報に変換してサーバ装置に送信する。サーバ装置は、受信した文字情報を、再度２次元コード情報に変換し、薬局端末に送信する。薬局端末は、受信した２次元コード情報を画面に表示させる。薬局では、薬局端末の画面に表示された２次元コード情報をコードスキャナーなどを用いてレセプトコンピュータに読み込ませる。
【０００６】
これにより、患者が薬局を訪れる前に、薬局では薬剤師（薬局によっては事務員の場合もある）が患者に処方する薬剤の準備を行うことができ、患者の薬局での待ち時間の軽減を図ることができる。さらに、薬局では、患者が薬局を訪れる前に前倒しで処方せんの内容を迅速且つ正確にレセプトコンピュータに入力することが可能となる。
【先行技術文献】
【特許文献】
【０００７】
【特許文献１】特開２０１６−２１８７４０号公報
【発明の概要】
【発明が解決しようとする課題】
【０００８】
患者が複数の医療機関を受診した場合など、複数の処方せんの情報が一度に端末装置に送られることがある。さらに、それらの処方せんの各ページには複数の２次元コード情報が含まれていることがある。
【０００９】
このような場合、２次元コード情報がどの処方せんに対応した２次元コード情報であるのかを薬局の担当者が認識しやすい態様で端末装置に表示することが求められる。
【００１０】
本発明は、このような課題を解決するためになされたものであり、処方せんに含まれる複数のコード情報がどの処方せんに含まれるのかを担当者に容易に認識させ得る態様でコード情報を表示することができるコード情報表示装置、コード情報表示方法、および、コード情報表示プログラムを提供することを目的とする。
【課題を解決するための手段】
【００１１】
上記目的を達成するため、本発明のコード情報表示装置は、複数の処方せんの各ページに付された複数のコード情報を受信する通信部と、複数の処方せんから選択された一の処方せんに対応する複数のコード情報を同時に表示するように、複数のコード情報のそれぞれが複数の処方せんのうちどの処方せんに対応するものであるかを示す情報に基づいて表示部を制御する制御部と、を備える。
【００１２】
また、本発明のコード情報表示方法は、複数の処方せんの各ページに付された複数のコード情報を受信する通信ステップと、複数の処方せんから選択された一の処方せんに対応する複数のコード情報を同時に表示するように、複数のコード情報のそれぞれが複数の処方せんのうちどの処方せんに対応するものであるかを示す情報に基づいて表示部を制御する制御ステップと、を備える。
【００１３】
また、本発明のコード情報表示プログラムは、コンピュータに、複数の処方せんの各ページに付された複数のコード情報を受信する通信手順、複数の処方せんから選択された一の処方せんに対応する複数のコード情報を同時に表示するように、複数のコード情報のそれぞれが複数の処方せんのうちどの処方せんに対応するものであるかを示す情報に基づいて表示部を制御する制御手順、を実行させる。
【発明の効果】
【００１４】
本発明によれば、処方せんに含まれる複数のコード情報がどの処方せんに含まれるのかを担当者に容易に認識させ得る態様でコード情報を表示することができる。
【図面の簡単な説明】
【００１５】
【図１】本発明の実施の形態に係る処方せん表示システムの構成の一例を示す図
【図２】本発明の実施の形態に係る処方せん表示システムに含まれる携帯端末の構成の一例を示す図
【図３】携帯端末に記憶される薬局リストの一例を示す図
【図４】本発明の実施の形態に係る処方せん表示システムに含まれるサーバ装置の構成の一例を示す図
【図５】サーバ装置に記憶される薬局設定情報の一例を示す図
【図６】本発明の実施の形態に係る処方せん表示システムに含まれる端末装置の構成の一例を示す図
【図７】本発明の実施の形態に係る処方せん表示システムにおいて実行される処理の一例を示す図
【図８】撮像される処方せんの画像を表示する携帯端末の表示部の一例を示す図
【図９】端末装置に表示される送信情報画面の一例を示す図
【図１０】処方せんに付された２次元コード情報がグループ化されるイメージを示す図
【図１１Ａ】送信情報画面の処方せん表示領域に表示される処方せん画像の一例を示す図
【図１１Ｂ】送信情報画面に表示される処方せん選択ボタン表示領域と２次元コード表示領域一例を示す図
【図１２Ａ】送信情報画面の処方せん表示領域に表示される処方せん画像の他の例を示す図
【図１２Ｂ】送信情報画面に表示される処方せん選択ボタン表示領域と２次元コード表示領域の他の例を示す図
【図１３Ａ】送信情報画面の処方せん表示領域に表示される処方せん画像のさらに他の例を示す図
【図１３Ｂ】送信情報画面に表示される処方せん選択ボタン表示領域と２次元コード表示領域のさらに他の例を示す図
【図１４】端末装置に表示される依頼リスト画面の一例を示す図
【発明を実施するための形態】
【００１６】
以下、本発明の実施形態について、図面を参照して詳細に説明する。図１は、本発明の実施の形態に係る処方せん表示システムの構成の一例を示す図である。
【００１７】
本発明に係る処方せん表示システム１は、携帯端末１０と、サーバ装置１１と、端末装置１２とを備える。携帯端末１０とサーバ装置１１、および、サーバ装置１１と端末装置１２はそれぞれデータ通信を行う。なお、本発明に係る端末装置１２は、特許請求の範囲に記載されたコード情報表示装置に対応するものである。
【００１８】
図２は、本発明の実施の形態に係る処方せん表示システムに含まれる携帯端末１０の構成の一例を示す図である。携帯端末１０は、医療機関にて発行された処方せんの画像を撮像してサーバ装置１１に送信する装置である。携帯端末１０は、例えば、患者が所有する携帯電話、スマートフォン、タブレットなどの装置である。
【００１９】
携帯端末１０は、入力部１０１と、通信部１０２と、表示部１０３と、記憶部１０４と、撮像部１０５と、制御部１０６と、を含む。
【００２０】
入力部１０１は、携帯端末１０への操作を受け付ける入力装置である。入力部１０１は、例えば、タッチパネルにより構成される。また、入力部１０１は、押しボタンや回転型のセレクタを含んでいてもよい。
【００２１】
入力部１０１は、例えば、専用アプリケーションの起動操作、処方せんの撮像操作、薬局の選択操作、情報の送信操作などを受け付ける。
【００２２】
通信部１０２は、サーバ装置１１との通信を行う通信装置である。通信部１０２は、アンテナ、送信回路、受信回路などを含む。通信部１０２は、所定のネットワークを介してサーバ装置１１と通信する。
【００２３】
表示部１０３は、種々の情報を表示する表示装置である。表示部１０３は、例えば、液晶ディスプレイなどの表示装置である。また、表示部１０３がタッチパネルで構成される場合、表示部１０３は、入力部１０１の機能を兼ね備える。
【００２４】
記憶部１０４は、所定の情報を記憶する記憶装置である。記憶部１０４は、例えば、ハードディスク装置、メモリなどの記憶装置である。
【００２５】
記憶部１０４に記憶される情報には、患者識別情報１０４ａ、専用アプリケーション１０４ｂ、薬局リスト１０４ｃが含まれる。
【００２６】
患者識別情報１０４ａは、患者を識別可能なコード情報であり、例えば、１０桁の数字で構成される。
【００２７】
専用アプリケーション１０４ｂは、携帯端末１０にインストールされるアプリケーションプログラムである。処方せんの撮像、撮像画像に含まれる２次元コード情報の認識、２次元コード情報の文字情報への変換、撮像画像や文字情報の送信といった処理は専用アプリケーション１０４ｂによって実現される。なお、これらの一部の処理は携帯端末１０にインストールされている汎用のアプリケーションを利用して行ってもよい。
【００２８】
薬局リスト１０４ｃは、患者が選択可能な薬局のリスト情報である。薬局リスト１０４ｃは、それぞれの薬局に割り振られた薬局識別情報を含む（図３参照。）。患者が撮像した処方せんの画像などの情報は、選択された薬局に対応する薬局識別情報とともにサーバ装置１１に送られる。
【００２９】
撮像部１０５は、医療機関で発行された処方せんなどを撮像する撮像装置である。撮像部１０５は、例えば、ＣＣＤ（Ｃｈａｒｇｅ  Ｃｏｕｐｌｅｄ  Ｄｅｖｉｃｅ）カメラやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラなどの撮像装置である。
【００３０】
制御部１０６は、携帯端末１０の制御を行うプロセッサなどの制御装置である。制御部１０６は、記憶部１０４に記憶された専用アプリケーション１０４ｂに基づいて各部の制御を行う。
【００３１】
また、制御部１０６は、撮像部１０５で撮像した処方せんの画像の２次元コード情報の読み込み処理を行う。
【００３２】
処方せんの画像の２次元コード情報が読み込まれた場合、制御部１０６は、読み込まれた２次元コード情報を文字情報に変換する。制御部１０６は、撮像した処方せんの画像情報、２次元コード情報から変換した文字情報、患者情報、および、選択された薬局の薬局識別情報などの情報を通信部１０２からサーバ装置１１に出力する。
【００３３】
処方せんの画像の２次元コード情報が読み込まれなかった場合、制御部１０６は、撮像した処方せんの画像情報、患者情報、および、選択された薬局の薬局識別情報などの情報を通信部１０２からサーバ装置１１に送信する。
【００３４】
ここで、処方せんの画像の２次元コード情報が読み込まれなかった場合とは、処方せんに２次元コード情報が付されていない場合、または、処方せんに２次元コード情報が付されているものの、処方せんの画像から２次元コード情報を認識し得なかった場合である。
【００３５】
次に、サーバ装置１１について説明する。図４は、本発明の実施の形態に係る処方せん表示システム１に含まれるサーバ装置１１の構成の一例を示す図である。
【００３６】
サーバ装置１１は、通信部１１１と、記憶部１１２と、制御部１１３と、を含む。通信部１１１は、送信回路、受信回路などを含む。通信部１１１は、所定のネットワークを介して携帯端末１０および端末装置１２と通信する。
【００３７】
記憶部１１２は、所定の情報を記憶する記憶装置である。記憶部１１２は、例えば、ハードディスク装置、メモリなどの記憶装置である。
【００３８】
記憶部１１２は、薬局設定情報１１２ａを記憶する。図５は、薬局設定情報１１２ａとして記憶部１１２が記憶する情報を示す。記憶部１１２は、薬局設定情報１１２ａとして、端末装置１２を識別する薬局識別情報ごとに、認証パスワードを記憶している。
【００３９】
認証パスワードは、端末装置１２から接続要求があった際に、端末装置１２を認証するためのパスワードである。
【００４０】
制御部１１３は、サーバ装置１１の制御を行うプロセッサなどの制御装置である。制御部１１３は、通信部１１１の制御、携帯端末１０から受信した文字情報のコード化などの処理を実行する。
【００４１】
また、制御部１１３は、端末装置１２の認証を行う。端末装置１２が処方せん表示システム１に接続される際、サーバ装置１１は、端末装置１２からログイン要求とともに認証パスワードを受信する。
【００４２】
制御部１１３は、端末装置１２から受信した認証パスワードと記憶部１１２に記憶した認証パスワードとの照合を行い、両者が一致していた場合、サーバ装置１１に対する端末装置１２の接続を許可する。一方、端末装置１２から受信した認証パスワードと記憶部１１２に記憶した認証パスワードが一致しない場合、サーバ装置１１に対する端末装置１２からの接続を許可しない。
【００４３】
なお、サーバ装置１１における端末装置１２の認証方法はこのような方法に限らない。例えば、指紋認証などの生体認証技術を利用してもよい。
【００４４】
また、制御部１１３は、携帯端末１０から受信した文字情報を２次元コード情報（画像情報）に変換する。このとき、制御部１１３は、携帯端末１０から受信した文字情報が処方せんに付された２次元コード情報から変換されたものであるか否かの判定を行う。具体的には、制御部１１３は、処方せんに付された２次元コード情報に含まれるべき文字情報として予め登録された文字情報と、携帯端末１０から受信した文字情報とを比較して、上記判定を行う。
【００４５】
なお、制御部１１３は、携帯端末１０から受信した文字情報から、擬似処方せん情報を作成し、端末装置１２に送信してもよい。擬似処方せんとは、処方せんに付された２次元コード情報から変換した文字情報に基づいて作成した擬似的な処方せんである。
【００４６】
例えば、携帯端末１０で撮像された処方せんの画像には、処方せんが撮像される環境や携帯端末１０自体の性能などにより、白とびや黒つぶれなどの画像の乱れが発生する場合がある。
【００４７】
このように撮像された画像の文字が薬局の担当者にとって読み取りにくい場合、調剤準備に支障が出る可能性がある。そこで、端末装置１２の画面にサーバ装置１１から送られてきた擬似処方せんを表示させることにより、画像の乱れの影響を受けずに、処方せんの内容を文字として認識させることができる。
【００４８】
制御部１１３は、携帯端末１０から受信した文字情報が処方せんに付された２次元コード情報ではないと判定した場合、通信部１１１を介して携帯端末１０にその旨を表示させる制御情報を送信してもよい。
【００４９】
通信部１１１が、携帯端末１０から処方せんの画像情報、処方せんの内容を示す文字情報、患者情報、および、薬局識別情報を含む情報を受信し、制御部１１３が、受信した文字情報が処方せんに付された２次元コード情報であると判定すると、制御部１１３は、それらの情報を記憶部１１２に記憶させる。
【００５０】
また、制御部１１３は、端末装置１２から表示更新情報を受信した場合、表示更新情報を送信した端末装置１２を特定し、特定した端末装置１２に処方せんなどの情報を送信する。ここで、表示更新情報とは、端末装置１２の画面に表示させる情報の更新要求である。
【００５１】
次に、端末装置１２について説明する。図６は、本発明の実施の形態に係る処方せん表示システム１に含まれる端末装置１２の構成の一例を示す図である。端末装置１２は、入力部１２１と、通信部１２２と、表示部１２３と、記憶部１２４と、制御部１２５とを有する。
【００５２】
入力部１２１は、携帯端末１０への操作を受け付ける入力装置である。入力部１２１は、例えば、タッチパネル、キーボード、または、マウスなどの入力装置である。入力部１２１は、例えば、サーバ装置１１へのログインを要求する操作や、所定の患者の処方せんを表示するための操作を受け付ける。
【００５３】
通信部１２２は、サーバ装置１１との通信を行う通信装置である。通信部１２２は、送信回路、受信回路などを含む。通信部１２２は、所定のネットワークを介してサーバ装置１１と通信する。
【００５４】
表示部１２３は、種々の情報を表示する表示装置である。表示部１２３は、例えば、液晶ディスプレイなどの表示装置である。また、表示装置がタッチパネルで構成される場合、表示部１２３は、入力部１２１の機能を兼ね備える。
【００５５】
記憶部１２４は、所定の情報を記憶する記憶装置である。記憶部１２４は、例えば、ハードディスク装置、メモリなどの記憶装置である。
【００５６】
記憶部１２４に記憶される情報には、処方せん情報１２４ａが含まれる。処方せん情報１２４ａは、サーバ装置１１から受信した処方せんの情報である。この情報を基にして、後述する各種表示がなされる。
【００５７】
制御部１２５は、端末装置１２の各部の制御を行うプロセッサなどの制御装置である。制御部１２５は、サーバ装置１１から受信した情報に基づいて、処方せんの画像および２次元コード情報の表示制御などを行う。
【００５８】
制御部１２５は、サーバ装置１１から処方せんの画像情報、患者情報などを受信すると、表示部１２３に処方せんの画像、患者氏名などを表示させる。また、制御部１２５は、サーバ装置１１から２次元コード情報を受信したときは、画面に２次元コード情報を表示させる。
【００５９】
次に、本発明の実施の形態に係る処方せん表示システム１が行う処理について、図７を参照して説明する。まず、携帯端末１０の入力部１０１が、患者から専用アプリケーション１０４ｂの起動要求を受け付けると、制御部１０６は、専用アプリケーション１０４ｂを起動する（ステップＳ１１）。
【００６０】
専用アプリケーション１０４ｂが起動された後、患者の入力部１０１を介した撮像操作に応じて、撮像部１０５は、医療機関にて発行された処方せんを撮像する（ステップＳ１２）。
【００６１】
ここで、処方せんの撮像方法について、図８を参照して説明する。図８は、撮像される処方せん１３の画像を表示する携帯端末１０の表示部１０３の一例を示す図である。処方せん１３には、患者氏名、処方内容などの情報が含まれている。また、処方せん１３には、２次元コード情報１３ａが含まれている場合がある。
【００６２】
患者は、このような処方せん１３の画像を表示部１０３の略全面に表示させる。そして、患者が表示部１０３の最下部中央に配置された撮像ボタン１０６ａ（入力部１０１の一種）をタッチすると、撮像部１０５が処方せん１３の画像を撮像する。処方せんが複数ページからなる場合、患者は、同様の操作により各ページの画像を撮像する。
【００６３】
図７の説明に戻る。処方せん１３の画像が撮像されると、制御部１０６は、２次元コード情報の読み込みを行う（ステップＳ１３）。処方せん１３の画像から２次元コード情報１３ａが読み込まれた場合、制御部１０６は、２次元コード情報１３ａを文字情報に変換し、文字情報および処方せん１３の画像情報を含む情報をサーバ装置１１に送信する（ステップＳ１４）。
【００６４】
一方、処方せん１３の画像から２次元コード情報１３ａが読み込まれなかった場合、制御部１０６は、２次元コード情報１３ａを含まず、処方せん１３の画像情報を含む情報をサーバ装置１１に送信する。そして、携帯端末１０における撮像処理は終了する。
【００６５】
次に、サーバ装置１１において行われる処理について説明する。端末装置１２から認証要求を受けると、サーバ装置１１の制御部１１３は、端末装置１２の認証を行う（ステップＳ１５）。端末装置１２の認証が行われると、制御部１１３は、端末装置１２に認証結果を送信する（ステップＳ１６）。
【００６６】
制御部１１３は、端末装置１２の認証に成功した場合は、その旨の情報を端末装置１２に送信するとともに、サーバ装置１１への接続を許可する。一方、端末装置１２の認証に失敗した場合、制御部１１３は、その旨の情報を端末装置１２に送信し、サーバ装置１１への接続を許可しない。
【００６７】
携帯端末１０から処方せん１３の情報を受信すると、制御部１１３は、受信した処方せん１３の情報を記憶部１１２に記憶させる（ステップＳ１７）。
【００６８】
また、制御部１１３は、端末装置１２から表示更新情報を受信した場合、表示更新情報を送信した端末装置１２を特定する（ステップＳ１８）。
【００６９】
そして、制御部１１３は、薬局識別情報に基づいて特定した端末装置１２に対して、処方せん１３の情報を送信し（ステップＳ１９）、サーバ装置１１での端末装置１２への表示用情報の送信処理を終了する。
【００７０】
次に、端末装置１２において行われる処理について説明する。端末装置１２の通信部１２２は、サーバ装置１１に対して認証要求を送信する（ステップＳ２０）。サーバ装置１１おいて、端末装置１２の認証がされると、通信部１２２は、認証結果を受信する（ステップＳ２１）。
【００７１】
端末装置１２の認証が成功した場合、端末装置１２は、サーバ装置１１への接続が許可されるが、端末装置１２の認証が失敗した場合は、サーバ装置１１への接続は許可されない。
【００７２】
次に、制御部１２５は、サーバ装置１１に対して表示更新情報を送信する（ステップＳ２２）。制御部１２５が表示更新情報をサーバ装置１１に対して送信するタイミングは、適宜決定すればよい。例えば、表示更新情報は、所定の時間間隔で送信するように設定することができる。さらに、入力部１２１に入力操作を受け付けた場合にも表示更新情報を送信できるようにしてもよい。
【００７３】
端末装置１２の制御部１２５は、通信部１２２がサーバ装置１１から処方せん１３の情報を受信した後（ステップＳ２３）、送信情報画面に表示させる処方せん１３のページの選択操作を受け付ける（ステップＳ２４）。
【００７４】
ここで、送信情報画面について説明する。図９は、端末装置１２の画面に表示される送信情報画面１５の一例を示す図である。送信情報画面１５には、ページ選択ボタン表示領域１５１と、２次元コード情報表示領域１５２と、処方せん表示領域１５３とが含まれる。ページ選択ボタン表示領域１５１は、送信情報画面１５の上部に配置される。
【００７５】
ページ選択ボタン表示領域１５１には、例えば、複数のページ選択ボタン１５１ａ，１５１ｂ，１５１ｃが表示される。複数のページ選択ボタン１５１ａ，１５１ｂ，１５１ｃは、携帯端末１０から一度に複数ページの処方せん１３の画像が送られてきた場合に、処方せん表示領域１５３に表示させる処方せん１３のページを選択させるためのボタンである。図９には、携帯端末１０から３ページ分の処方せん１３の画像が送られてきた場合の送信情報画面１５の例が示されている。
【００７６】
ここで、処方せん１３のページに２次元コード情報１３ａが付されている場合、ページ選択ボタン１５１ａ，１５１ｂ，１５１ｃの右下には、２次元コード情報１３ａを模した絵柄が重畳表示される。
【００７７】
図９に示す例では、ページ選択ボタン１５１ｂ，１５１ｃの右下に２次元コード情報１３ａを模した絵柄が重畳表示されている。これにより薬局の担当者に２ページ目と３ページ目の処方せん１３に２次元コード情報１３ａが付されていることを認識させることができる。
【００７８】
また、現在選択されているページを明示的に示すため、現在選択されているページ選択ボタン１５１ａ，１５１ｂ，１５１ｃは強調表示される。図９に示す例では、ページ選択ボタン１５１ｂが強調表示されている。
【００７９】
ページ選択ボタン表示領域１５１の下側には、２次元コード情報表示領域１５２が配置される。２次元コード情報表示領域１５２には、携帯端末１０で読み込まれた２次元コード情報１３ａが表示される。これにより、薬局の担当者は、レセプトコンピュータの読み取り装置に２次元コード情報１３ａを読み取らせることができる。
【００８０】
処方せん表示領域１５３は、ページ選択ボタン１５１ａ，１５１ｂ，１５１ｃで選択されたページの画像が表示される領域である。処方せん表示領域１５３は、２次元コード情報表示領域１５２の下側に配置される。処方せん表示領域１５３に処方せん１３の画像全体が表示されない場合は、処方せん１３の画像をスクロール表示させることにより処方せん１３の画像が表示される。
【００８１】
このようにすることで、処方せん１３の各ページのうち一のページが選択された場合に、選択されたページと、選択されたページが含まれる一の処方せん１３に対応する複数の２次元コード情報１３ａとを同時に表示することができる。
【００８２】
図７の説明に戻る。端末装置１２の制御部１２５は、ステップＳ２４においてページ選択を受け付けると、送信情報画面１５の２次元コード情報表示領域１５２に表示させる２次元コード情報１３ａのグループ判定を行う（ステップＳ２５）。
【００８３】
携帯端末１０から一度に複数ページの処方せん１３の情報が送信される場合、２次元コード情報表示領域１５２には、２次元コード情報１３ａがグループごとに表示される。
【００８４】
グループとは、一の診療において発行された処方せん１３に属する２次元コード情報１３ａの集合である。また、グループ判定とは、ページ選択を受け付けたときに、当該ページに付された２次元コード情報１３ａが属するグループを判定して、２次元コード表示領域１５２に表示させるグループを決定することをいう。
【００８５】
ここで、グループ判定を行う趣旨について説明する。例えば、二人の兄弟が同日に同じ医療機関を受診し、医療機関からそれぞれ複数ページからなる処方せん１３が発行された場合を想定する。処方せん１３の各ページには、一又は複数の２次元コード情報１３ａが付されており、母親の携帯端末１０によって撮像された各ページの画像情報および２次元コード情報が携帯端末１０から送信される。
【００８６】
このとき、各ページが順不同で撮像されたとしても、グループ判定を実行することで、兄の診療において発行された処方せん１３に属する２次元コード情報１３ａと、弟の診療において発行された処方せん１３に属する２次元コード情報１３ａとを区別することができる。これにより、端末装置１２の画面上に処方せん１３の画像とそれぞれの処方せん１３に対応する２次元コード情報１３ａとを並べて表示させることが可能となる。このグループ判定処理の詳細および端末装置１２の画面上における具体的な表示態様については、後に詳しく説明する。
【００８７】
図７の説明に戻る。ステップＳ２５においてグループ判定が行われると、制御部１２５は、ページ選択ボタン１５１ａ，１５１ｂ，１５１ｃにより選択されたページが属する処方せん１３に対応するグループに含まれる２次元コード情報１３ａを２次元コード表示領域１５２に表示させるとともに、ページ選択ボタンにより選択された処方せん１３の画像を処方せん表示領域１５３に表示させる（ステップＳ２６）。そして、端末装置１２での処理を終了する。
【００８８】
次に、２次元コード情報１３ａのグループ判定処理について詳細に説明する。２次元コード情報１３ａのグループ判定処理は、２次元コード情報１３ａに埋め込まれたヘッダ情報に基づいて行われる。
【００８９】
ヘッダ情報は、当該２次元コード情報１３ａが付された処方せん１３を識別する情報と、同一の処方せん１３に属する複数の２次元コード情報１３ａのうち当該２次元コード情報１３ａが何番目の情報であるのかを示す情報を含む。
【００９０】
図１０は、処方せん１３に付された２次元コード情報１３ａがグループ化されるイメージを示す図である。ここでは、ページ１３０１，１３０２が一の診療において発行された処方せんのページであり、ページ１３０３，１３０４，１３０５が別の診療において発行された処方せんのページであるとする。
【００９１】
図１０に示す例は、各ページ１３０１〜１３０５が携帯端末１０によって撮像され、１ページ目１３０１に付された２次元コード情報１３０１ａ，１３０１ｂと２ページ目１３０２に付された２次元コード情報１３０２ａと５ページ目１３０５に付された２次元コード情報１３０５ａが読み込まれ、４ページ目１３０４に付された２次元コード情報１３０４ａ，１３０４ｂの読み込みが失敗した例である。なお、本例において、３ページ目１３０３に、２次元コード情報１３ａは付されていない。
【００９２】
ここで、１ページ目１３０１、および、２ページ目１３０２は、一の診療において発行された処方せん１３に属するページであり、３ページ目１３０３は、別の診療において発行された処方せん１３に属するページであり、４ページ目１３０４、および、５ページ目１３０５は、さらに別の診療において発行された処方せん１３に属するページである。
【００９３】
端末装置１２の送信情報画面１５において、ページ選択が行われると、端末装置の制御部１２５は、これらの２次元コード情報１３０１ａ，１３０１ｂ，１３０２ａ，１３０５ａに埋め込まれたヘッダ情報を解析し、一の診療において発行された処方せん１３に属する２次元コード情報１３ａがどれかを判定し、これらをグループ化する。
【００９４】
具体的には、制御部１２５は、当該２次元コード情報１３ａが付された処方せん１３を識別する情報（同じ処方せん１３に属している場合に同じ値となる識別情報）、および、同一の処方せん１３に属する複数の２次元コード情報１３ａのうち当該２次元コード情報１３ａが何番目の情報であるのか（当該２次元コード情報１３ａの属するグループが、何個の２次元コード情報１３ａで構成されており、当該２次元コード情報１３ａが何番目の２次元コード情報１３ａであるのか）を示す情報を用いてグループ化を行う。
【００９５】
図１０には、１ページ目１３０１に付された２次元コード情報１３０１ａ，１３０１ｂ、および、２ページ目１３０２に付された２次元コード情報１３０２ａが一の診療において発行された処方せん１３に属するものと判定され、これらが１つのグループとしてグループ化される状態が示されている。
【００９６】
また、図１０には、２次元コード情報１３０５ａの読み込みが成功し、２次元コード情報１３０５ａに含まれるヘッダ情報が取得されたものの、２次元コード情報１３０４ａ，１３０４ｂは読み込みが失敗し、２次元コード情報１３０４ａ，１３０４ｂに含まれるヘッダ情報は取得されない状態が示されている。
【００９７】
このような場合、制御部１２５は、２次元コード情報１３０５ａに含まれるヘッダ情報から、同一の処方せん１３に属する２次元コード情報が他にもあるか否かを検出し、そのような２次元コード情報１３０４ａ，１３０４ｂがある場合、２次元コード情報１３０５ａのグループ化を行わない。
【００９８】
なお、処方せん１３の３ページ目１３０３については、２次元コード情報が付されていないため、グループ化処理は実行されない。
【００９９】
そして、制御部１２５は、グループ化した２次元コード情報１３０１ａ，１３０１ｂ，１３０２ａを２次元コード表示領域１５２に表示する表示処理を実行する。
【０１００】
これにより、一の診療において発行された処方せんの各ページ１３０１，１３０２に付された２次元コード情報１３０１ａ，１３０１ｂ，１３０２ａをグループ化することが可能となる。また、これらグループ化された２次元コード情報１３０１ａ，１３０１ｂ，１３０２ａを処方せんの各ページ１３０１，１３０２の画像とともに表示させることで、表示された２次元コード情報がどの処方せんに対応するものであるのかを担当者に容易に認識させることができる。
【０１０１】
なお、２次元コード情報１３ａのグループ判定処理は、携帯端末１０において行ってもよい。この場合、携帯端末１０によって各ページ処方せん１３０１，１３０２，１３０３，１３０４，１３０５が撮像されると、携帯端末１０の制御部１０６は、２次元コード情報を読み込む処理を実行する。
【０１０２】
そして、２次元コード情報１３０１ａ，１３０１ｂ，１３０２ａ，１３０５ａが読み込まれると、携帯端末１０の制御部１０６は、上述した端末装置１２と同様に、２次元コード情報１３０１ａ，１３０１ｂ，１３０２ａ，１３０５ａに埋め込まれたヘッダ情報を解析し、一の診療において発行された処方せん１３に属する２次元コード情報１３ａがどれかを判定し、これらをグループ化する。
【０１０３】
また、２次元コード情報１３ａのグループ判定処理は、サーバ装置１１において行ってもよい。この場合、サーバ装置１１の制御部１１３は、上述した端末装置１２と同様に、２次元コード情報１３０１ａ，１３０１ｂ，１３０２ａ，１３０５ａに埋め込まれたヘッダ情報を解析し、一の診療において発行された処方せん１３に属する２次元コード情報１３ａがどれかを判定し、これらをグループ化する。
【０１０４】
図１１Ａは、送信情報画面１５の処方せん表示領域１５３に表示される処方せん１３の画像の一例を示す図である。図１１Ａは、一の診療において発行された処方せんの各ページ１３１、１３２の画像を示す。
【０１０５】
１ページ目１３１には、２つの２次元コード情報１３１ａ，１３１ｂが付されており、２ページ目１３２には、１つの２次元コード情報１３２ａが付されている。これらのページ１３１，１３２に付された２次元コード情報は、１つのグループを形成している。
【０１０６】
図１１Ｂは、図１１Ａに示す処方せんの各ページ１３１，１３２の画像および各ページ１３１，１３２に付された２次元コード情報１３１ａ，１３１ｂ，１３２ａをサーバ装置から受信した際の送信情報画面１５におけるページ選択ボタン表示領域１５１と２次元コード情報表示領域１５２の表示態様を示す。
【０１０７】
ページ選択ボタン表示領域１５１には、処方せんの各ページ１３１，１３２に対応するページ選択ボタン１５１１ａ，１５１１ｂが表示される。
【０１０８】
ここで、ページ選択ボタン１５１１ａが選択されると、図９に示した処方せん表示領域１５３には、処方せん１３の１ページ目１３１の画像が表示される。また、ページ選択ボタン１５１１ｂが選択されると、処方せん表示領域１５３には、処方せんの２ページ目１３２の画像が表示される。
【０１０９】
また、２次元コード情報表示領域１５２には、選択されたページ選択ボタン１５１１ａ，１５１１ｂに対応するページ１３１，１３２が属する処方せんのすべてのページに付された２次元コード情報が表示される。
【０１１０】
図１１Ａに示す例では、２次元コード情報１３１ａ，１３１ｂと２次元コード情報１３２ａは、同一のグループに属する。したがって、図１１Ｂに示すように、何れのページ選択ボタン１５１１ａ，１５１１ｂが選択されたときも２次元コード情報表示領域１５２には３つの２次元コード情報１３１ａ，１３１ｂ，１３２ａが表示される。
【０１１１】
このとき、グループ番号表示領域１５２ａには、グループ番号を示す「１」が表示される。ここで、グループ番号とは、グループを形成する２次元コード情報１３ａに対応する処方せんの番号である。
【０１１２】
図１２Ａは、送信情報画面１５の処方せん表示領域に表示される処方せん画像の他の例を示す図である。図１２Ａは、一の診療において発行された処方せんのページ１３３，１３４と別の診療において発行された処方せんのページ１３５の画像を示す。
【０１１３】
各ページ１３３，１３４，１３５には、それぞれ１つの２次元コード情報１３３ａ，１３４ａ，１３５ａが付されている。そして、ページ１３３，１３４に付された２次元コード情報１３３ａ，１３４ａは第１のグループを形成し、処方せん１３５に付された２次元コード情報１３５ａは第２のグループを形成する。
【０１１４】
図１２Ｂは、図１２Ａに示す処方せん１３３，１３４，１３５の画像および処方せん１３３，１３４，１３５に付された２次元コード情報１３３ａ，１３４ａ，１３５ａをサーバ装置１１から受信した際の送信情報画面１５におけるページ選択ボタン表示領域１５１と２次元コード情報表示領域１５２の表示態様を示す。
【０１１５】
ページ選択ボタン表示領域１５１には、処方せんの各ページ１３３，１３４，１３５に対応するページ選択ボタン１５１２ａ，１５１２ｂ，１５１２ｃが表示される。
【０１１６】
ここで、ページ選択ボタン１５１２ａが選択されると、図９に示した処方せん表示領域１５３には、処方せんの１ページ目１３３の画像が表示される。ページ選択ボタン１５１２ｂが選択されると、処方せん表示領域１５３には、処方せんの２ページ目１３４の画像が表示される。さらに、ページ選択ボタン１５１２ｃが選択されると、処方せん表示領域１５３には、処方せんの３ページ目１３５の画像が表示される。
【０１１７】
図１２Ｂに示すように、ページ選択ボタン１５１２ａ，１５１２ｂが選択されたときは、２次元コード情報表示領域１５２には第１のグループに属する２つの２次元コード情報１３３ａ，１３４ａが表示される。このとき、グループ番号表示領域１５２ａには、グループ番号を示す「１」が表示される。
【０１１８】
また、ページ選択ボタン１５１２ｃが選択されたときは、２次元コード情報表示領域１５２には第２のグループに属する２次元コード情報１３５ａが表示される。このとき、グループ番号表示領域１５２ａには、グループ番号を示す「２」が表示される。
【０１１９】
図１３Ａは、送信情報画面１５の処方せん表示領域１５３に表示される処方せん１３の画像のさらに他の例を示す図である。図１３Ａは、一の診療において発行された処方せんのページ１３６と別の診療において発行された処方せんのページ１３７，１３８の画像を示す。
【０１２０】
処方せんの１ページ目１３６には、２つの２次元コード情報１３６ａ，１３６ｂが付されており、処方せんの２ページ目１３７には、１つの２次元コード情報１３７ａが付されている。
【０１２１】
そして、処方せん１３６に付された２次元コード情報１３６ａ，１３６ｂは第１のグループに属し、処方せん１３７に付された２次元コード情報１３７ａは第２のグループに属している。
【０１２２】
図１３Ｂは、図１３Ａに示す処方せん１３６，１３７，１３８の画像および処方せん１３６，１３７に付された２次元コード情報１３６ａ，１３６ｂ，１３７ａをサーバ装置１１から受信した際の送信情報画面１５におけるページ選択ボタン表示領域１５１と２次元コード情報表示領域１５２の表示態様を示す。
【０１２３】
ページ選択ボタン表示領域１５１には、処方せんの各ページ１３６，１３７，１３８のそれぞれに対応するページ選択ボタン１５１３ａ，１５１３ｂ，１５１３ｃが表示される。
【０１２４】
ページ選択ボタン１５１３ａが選択されると、図９に示した処方せん表示領域１５３には、処方せんの１ページ目１３６の画像が表示される。ページ選択ボタン１５１３ｂが選択されると、処方せん表示領域１５３には、処方せんの２ページ目１３７の画像が表示される。ページ選択ボタン１５１２ｃが選択されると、処方せん表示領域１５３には、処方せんの３ページ目１３８の画像が表示される。
【０１２５】
図１３Ｂに示すように、ページ選択ボタン１５１３ａが選択されたときは、２次元コード情報表示領域１５２には２つの２次元コード情報１３６ａ，１３６ｂが表示される。このとき、グループ番号表示領域１５２ａには、グループ番号を示す「１」が表示される。
【０１２６】
また、ページ選択ボタン１５１３ｂが選択されたときは、２次元コード情報表示領域１５２には１つの２次元コード情報１３７ａが表示される。このとき、グループ番号表示領域１５２ａには、第２のグループを示す「２」が表示される。
【０１２７】
また、処方せん１３８には２次元コードが付されていないため、ページ選択ボタン１５１３ｃが選択されたときは、２次元コード情報表示領域１５２には２次元コード情報は表示されない。
【０１２８】
次に、図１４を参照して、端末装置１２に表示される依頼リスト画面１４について説明する。依頼リスト画面１４は、サーバ装置１１から受診した処方せん情報の一覧を示す画面である。依頼リスト画面１４には、状態欄１４１、患者氏名欄、送信情報欄１４２、受付欄１４４、呼出欄１４５などが含まれる。
【０１２９】
状態欄１４１は、処方せん１３の受付が完了したか否か、調剤が行われている最中であるか否か、または、患者の呼び出しが行われている最中か否かの状態を示す。
【０１３０】
処方せん１３の受付が未だ完了していない場合、状態欄１４１には「受付中」の文字が表示される。受付が完了し受付欄１４４の「受付」表示が入力部１２１の操作により選択されると、状態欄１４１の表示は、「調剤中」に変更される。また、調剤が完了し、呼出欄１４５の「呼出」表示が入力部１２１の操作により選択されると、状態欄１４１の表示は、例えば、「呼出中」に変更される。
【０１３１】
送信情報欄１４２に表示された送信情報ボタン１４３が入力部１２１の操作により選択されると、処方せん１３の撮像画像を含む情報が上述した送信情報画面１５に表示される。
【０１３２】
送信情報ボタン１４３は、その表示態様によってサーバ装置１１から受信した情報の内容を示している。送信情報ボタン１４３は、サーバ装置１１から送られてきた情報に処方せん１３の画像情報と２次元コード情報１３ａが含まれる場合、送信情報ボタン１４３に２次元コード情報１３ａを模した絵柄と「表示」の文字が表示される。
【０１３３】
また、サーバ装置１１から送られてきた情報に２次元コード情報１３ａは含まれず、処方せん１３の画像情報が含まれる場合、送信情報ボタン１４３にゼムクリップを模した絵柄と「表示」の文字が表示される。
【０１３４】
したがって、送信情報ボタン１４３の表示態様により、サーバ装置１１から送られてきた情報に２次元コード情報１３ａが含まれるか否かを薬局の担当者に認識させることができる。
【０１３５】
以上説明したように、本発明に係る実施の形態では、２次元コード情報１３ａをグループ化して２次元コード情報表示領域１５２に表示させているので、レセプトコンピュータの読み取り装置に迅速に２次元コード情報１３ａを読み込ませることができる。
【０１３６】
また、２次元コード情報表示領域１５２と処方せん表示領域１５３を並べて表示させているので、２次元コード情報１３ａがどの処方せん１３に付されたものであるのかを担当者に容易に認識させることができる。
【０１３７】
また、処方せん表示領域１５３に処方せん１３に付された２次元コード情報１３ａの一部または全部が表示されていない場合であっても、２次元コード情報表示領域１５２に２次元コード情報１３ａを表示させているので、レセプトコンピュータに２次元コード情報１３ａを読み込ませることができる。
【０１３８】
なお、上記実施の形態では、一のグループを構成する２次元コード情報のうち、一部の２次元コード情報の読み込みができなかった場合、グループ化を行わないこととしたが、２次元コード情報１３ａの読み込みができなかった処方せん１３については、再度、処方せん１３を撮像するよう、携帯端末１０の表示部１０３にその旨の表示をさせてもよい。
【０１３９】
例えば、携帯端末１０の制御部１０６は、処方せん１３の一部のページに付された２次元コード情報１３ａが読み込めなかった場合、もう一度、読み込めなかったページの撮像を促す表示を表示部１０３に表示させる。
【０１４０】
そして、再度、読み込めなかったページの撮像が行われ、２次元コード情報１３ａが読み込めた場合は、処方せん１３の画像情報とともに２次元コード情報１３ａがサーバ装置１１に送信される。
【０１４１】
このようにすれば、一度目の撮像で読み込めなかった２次元コード情報を２度目の撮像で読み込むことが可能となり、端末装置１２において全ての２次元コード情報１３ａのグループ化を行うことでユーザの利便性の向上が図れる。
【０１４２】
また、携帯端末１０の制御部１０６は、処方せん１３の一部のページに付された２次元コード情報１３ａが読み込めなかった場合、２次元コード情報１３ａが付された箇所のみを最初のページから撮像させるようにしてもよい。この場合、処方せん１３の画像と２次元コード情報１３ａとが別々に撮像されることになる。このため、グループ化された２次元コード情報１３ａとそれらが属する処方せん１３の画像とを結びつける情報がない。したがって、このような場合は、送信情報画面１５にどの処方せん１３の画像が表示されていても、グループごとに２次元コード情報１３ａを並べて表示させてもよい。
【０１４３】
また、本実施の形態では、処方せん１３に付されたコード情報を２次元コード情報１３ａとして説明したが、２次元コード情報に限られず、コード情報は、文字情報をコード化した他のコード情報でもよい。
【０１４４】
以上、本発明に係る実施形態について図面を参照して詳述してきたが、上述した各装置は、コンピュータプログラムにより実現され得る。
【０１４５】
具体的には、上述した各装置の機能をプログラムにより実現するコンピュータの読取装置が、上記機能を実現するためのプログラムを記録した記録媒体からそのプログラムを読み取り、記憶装置に記憶させる。あるいは、ネットワークカードが、ネットワークに接続されたサーバ装置と通信を行い、サーバ装置からダウンロードした上記機能を実現するためのプログラムを記憶装置に記憶させる。
【０１４６】
そして、ＣＰＵが、記憶装置に記憶されたプログラムをＲＡＭにコピーし、そのプログラムに含まれる命令をＲＡＭから順次読み出して実行することにより、上記機能が実現される。
【産業上の利用可能性】
【０１４７】
本発明は、医療機関にて処方された処方せんの情報を含むコード情報の表示を行う装置に広く利用可能である。
【符号の説明】
【０１４８】
１  処方せん表示システム
１０  携帯端末
１０１  入力部
１０２  通信部
１０３  表示部
１０４  記憶部
１０４ａ  患者識別情報
１０４ｂ  専用アプリケーション
１０４ｃ  薬局リスト
１０５  撮像部
１０６  制御部
１１  サーバ装置
１１１  通信部
１１２  記憶部
１１２ａ  薬局設定情報
１１３  制御部
１２  端末装置
１２１  入力部
１２２  通信部
１２３  表示部
１２４  記憶部
１２４ａ  処方せん情報
１２５  制御部
１３，１３１〜１３８，１３０１〜１３０５  処方せんのページ
１３ａ，１３０１ａ，１３０１ｂ，１３０２ａ，１３０４ａ，１３０４ｂ，１３０５ａ，１３１ａ，１３１ｂ，１３２ａ，１３３ａ，１３４ａ，１３５ａ，１３６ａ，１３６ｂ，１３７ａ  ２次元コード情報
１４  依頼リスト画面
１４１  状態欄
１４２  送信情報欄
１４３  送信情報ボタン
１４４  受付欄
１４５  呼出欄
１５  送信情報画面
１５１  ページ選択ボタン表示領域
１５１ａ，１５１ｂ，１５１ｃ  ページ選択ボタン
１５２  ２次元コード情報表示領域
１５２ａ  グループ番号表示領域
１５３  処方せん表示領域
【図１】
2019020758.tif 000003
【図２】
2019020758.tif 000004
【図３】
2019020758.tif 000005
【図４】
2019020758.tif 000006
【図５】
2019020758.tif 000007
【図６】
2019020758.tif 000008
【図７】
2019020758.tif 000009
【図８】
2019020758.tif 000010
【図９】
2019020758.tif 000011
【図１０】
2019020758.tif 000012
【図１１Ａ】
2019020758.tif 000013
【図１１Ｂ】
2019020758.tif 000014
【図１２Ａ】
2019020758.tif 000015
【図１２Ｂ】
2019020758.tif 000016
【図１３Ａ】
2019020758.tif 000017
【図１３Ｂ】
2019020758.tif 000018
【図１４】
2019020758.tif 000019